(57)【特許請求の範囲】
【請求項１】
縁を有する対象物を切断する切断具であって、
二枚の板と前記二枚の板を０度から１８０度に展開可能に連結する連結部を有する蝶番型のガード部と、
前記連結部の一側に設けられた柄と、
前記連結部の他側に設けられた刃と、
前記二枚の板の一方の板に前記連結部と反対側に延び出るように設けられ、且つ目盛りが付されたアームと、
前記アームの先端に設けられ、前記対象物の縁にガイドされるガイド部とを備える切断具。
【請求項２】
さらに、前記刃を収納するカッターホルダーを有し、前記カッターホルダーが前記柄に対してスライド移動可能に設けられている請求項１に記載の切断具。
【請求項３】
前記アームが入れ子式のアームである請求項１に記載の切断具。
【請求項４】
前記一方の板が透視可能な板である請求項１または３に記載の切断具。
【請求項５】
前記ガイド部は、前記アームの先端に回転またはスライド可能に取り付けられている請求項１、３または４に記載の切断具。
【発明の詳細な説明】
【技術分野】
【０００１】  本発明は、定規や印付けのペンを使用せずに段ボールを所望の大きさに切断することができる多機能段ボールカッターに関する。
【背景技術】
【０００２】  特許文献１のようなＬ型鋼の先端に刃を備えた切断カッターや特許文献２のような蝶番の間にカッター刃を備えた切開器具は存在したが、その構造上ガイド部は９０度を超えて開くことができず、角を切断することのみを意図しているにすぎない。【０００３】  特許文献３のような切り落とし幅を決定する機構は存在するが切断工具の固定機構は複雑で操作が容易ではない。またその構造上、取付板や案内板が嵩張るため使用時に要するスペースの小型化が必要である。
【先行技術文献】
【特許文献】
【０００４】
【特許文献１】実用新案登録第３１７３９２０号
【特許文献２】実開平５−６０４７３
【特許文献３】特開平９−２８９４８
【発明の概要】
【発明が解決しようとする課題】
【０００５】  一旦配達に使われた段ボール箱を再利用することで、別の物の配送にかかるコストを節約できるし、また、資源活用の点からも望ましい。宅配便の配送料は段ボール箱の大きさ（３辺の合計長さ）で定められている。このために、利用者としては、極力小さなサイズになるよう段ボールを切断したいと考える。段ボール箱をサイズダウンするには箱の稜、即ち、面と面とが直交する角をも切断しなければならないが、角に沿って真っ直ぐ切断するのは容易ではない。稜のみならず面についても所定のサイズにするために辺（縁）に平行に切断する必要もある。再利用しようとする段ボール箱を所定の寸法にするとともに切り口を真っ直ぐにするために、定規で目標とする寸法を測ってペン等で印をつけてから定規に沿ってカッター入れるのが普通で、ナイフのみならず比較的長い定規やペンが必要であり、それらを用いた測定・印付けという操作は手間がかかる。さらに、加工の対象が大きければ大きいほど大型の定規を必要とし、またカッター刃の操作が困難であり安全性と操作性について問題がある。そこで、この発明は、段ボール箱の面や角を、定規を使わずに真っ直ぐに、容易且つ安全に切断することのできるカッターを開発する。
【課題を解決するための手段】
【０００６】  本発明の第１態様に従えば、縁を有する対象物を切断する切断具であって、
二枚の板と前記二枚の板を０度から１８０度に展開可能に連結する連結部を有する蝶番型のガード部と、前記連結部の一側に設けられた柄と、前記連結部の他側に設けられた刃と、前記二枚の板の一方の板に前記連結部と反対側に延び出るように設けられ、且つ目盛りが付されたアームと、前記アームの先端に設けられ、前記対象物の縁にガイドされるガイド部とを備える切断具であることを主特徴とする。
【図面の簡単な説明】
【０００７】
【図１】図１は、ガード部を閉じた状態の斜視図である。
【図２】図２は、ガード部を閉じた状態の平面図である。
【図３】図３は、ガード部を９０度に開いた状態で箱のコーナー部を切断する際の平面図である。
【図４】図４は、ガード部を１８０度に開いた状態で箱の側面を切断する際の平面図である。
【図５】図５は、ガード板及び伸長アームの固定機構の平面図である。
【図６】図６は、ガード部を閉じた状態の側面図である。
【図７】図７は、カッターホルダーの拡大図である。
【発明を実施するための形態】
【０００８】  本発明の切断具、すなわち、多機能段ボールカッターを、図面を参照しながら説明する。
【０００９】  図１に、使用していないとき（収納状態）の多機能段ボールカッターの外観を示す。図１に示すように、多機能段ボールカッター１０は、２枚のガード板ｂ１、ｂ２からなる蝶番型のガード部ｂと、ガード部ｂを展開可能に支持する柄部ａと、柄部ａに組み込まれたカッターホルダーｇと、ガード板ｂ１に設けられたガイドｃとを有する。
【００１０】  図２に示すように、二枚のガード板ｂ１、ｂ２は、柄ａの先端（ガード板ｂ１、ｂ２の連結部）に、それぞれ、回転軸ｘ１、ｘ２を介して取りつけられており、それらの回転軸ｘ１、ｘ２を中心として、ガード板ｂ１、ｂ２が蝶番のように展開することができる。図３にガード板ｂ１、ｂ２が９０度に展開した様子を示し、図４にはガード板ｂ１、ｂ２が１８０度に展開した様子を示す。二枚のガード板ｂ１、ｂ２の先端と柄ａの先端は、図１に示すように互いにかみ合う歯車のような凹凸を設けて、回転動作が所定の角度、例えば１０°毎に行われ、その角度でガード板ｂ１、ｂ２の展開角を保持できるように規制している。
【００１１】  図４に示すように、一方のガード板ｂ１の内部には、伸長アームｅと伸長アームｆが入れ子式に挿入されており、必要に応じてガード板ｂ１から引き出すことができる。ガード板ｂ１、伸長アームｅ及び伸長アームｆのいずれにも長さ方向に渡って目盛りが設けられている。伸長アームｆの先端にはガイドｃが回転軸ｘ３を中心として回転可能に取りつけられている。伸長アームｅ及び伸長アームｆのいずれもがガード板ｂ１内に収容されている状態では、図１〜３に示すようにガイドｃはガード板ｂ１の先端に位置している。ガード部ｂを構成する部材はいずれも透明アクリル板のような透明部材から形成されている。図５のようにアームｅはガード板ｂ１内に設置された薄板バネｓ１とアームｅの側面に一定間隔で刻まれた凹部ｖとの接触によりガード板ｂ１に対して一定間隔毎に固定することができる。またアームｆも同様にアームｅ内の薄板バネｓ２との接触でアームｅひいてはガード板ｂ１に対して一定間隔毎に固定できる。
【００１２】  カッターホルダーｇについて、図６、図７を参照して説明する。カッターホルダーｇには、カッター刃ｄがガード部ｂ側に突出するように取りつけられている。カッターホルダーｇは、柄ａに設けられたガイド溝ｉに沿ってスライド移動可能に取りつけられており、このカッターホルダーｇのスライド移動によってカッター刃ｄの突出量を調節することができる。使用者の指でのスライド移動を容易にするために、カッターホルダーｇには凹凸（複数の溝）ｈが形成されている。
【００１３】  上記のような構造の段ボールカッター１０を使って段ボール箱の角部１と面２を切断する方法を図３及び４を参照しながら説明する。
【００１４】  段ボール箱の角部１を切断する際には、図３に示すように、段ボールカッター１０のガード板ｂ１とガード板ｂ２の開き角が９０度になるように展開する。また、ガード板ｂ１の先端のガイドｃもガード板ｂ１に対して９０度に折り曲げる。安全のため、カッター刃ｄはこの操作の後にスライドし突出させるのが望ましい。次いで、箱の角部１をなす直交する側面２にガード板ｂ１、ｂ２をぴったり合わせ、角部の上方から下方に向かって箱の角部１と側面２に沿ったまま刃で切り込む。すなわち、ガード板ｂ１、ｂ２と箱の側面２が接触したまま段ボールカッター１０を滑らせることで箱の角部１を直線で切断することができる。ガード部ｂは透明であるので切断中の切り口を視認できる。また、カッター刃は、操作側（柄部側）に露出していないので安全に切断作業を行える。
【００１５】  箱の側面を切断する際は、図４に示すように、ガード板ｂ１、ｂ２の展開角を１８０度に開き、ガード板ｂ１のガイドｃをガード板ｂ１に対して直交するように回転し、切断したい側面２の縁３に引っ掛ける。次いで、側面の切断したい長さをガード板ｂ１の目盛りで測りながら、ガード板ｂ１からアームｅ及びアームｆを適宜伸長させる。この際、カッター刃ｄはホルダーｇを操作してガード部ｂから後退させておくのが望ましい。
【００１６】  切断位置が決まったならば、カッター刃ｄをガード部ｂから突出させ、柄部ａを箱の側面に押し付けてカッター刃ｄで切り込みを入れる。次いで、ガイドｃを側面２の縁３に沿わせながら柄ａを箱の側面上を手前に滑らせる。ガイドｃが側面２の縁２に常にガイド（支持）されているので、側面２の縁３に平行に且つガイドｃから予定した切断幅で側面２を切断することができる。また、目盛りを見ながら、刃を入れる位置を決定できるので、定規は不要であるし、ペンなどを使って印をつける必要もなくなる。さらに、切断操作中は、カッター刃が露出していないので安全に切断することができる。
【００１７】  本発明の切断具を具体例により説明したが、本発明の切断具はそれらの具体例に限定されない。上の具体例ではアームが入れ子式であったが、それに限らず、アームがガイド板に重なるように設けられ、ガイド板に沿ってスライド移動するようなアームであってもよい。また、アームは、面を持たなくとも、スライド移動するための可動部分の骨組みのみ、例えば棒状のものでもよい。また、目盛りは、定規のような目盛りでなくても、所定間隔ごとに取りつけられた突起や切込みなど任意のマークで構わない。また、二枚のガード板の連結部として柄の先端に回転軸を設けて二枚のガード板を展開可能としたが、それに限らず、蝶番を二枚のガード板を接続するように取りつけてもよい。この場合、蝶番は刃と干渉しない位置に取りつけることができる。更に、ガイドは、アームに回転軸を設けたものでなくても、アームに対し垂直方向にスライドして移動するものでもよい。
【符号の説明】
【００１８】ａ：柄部
ｂ：ガード部
ｂ１、ｂ２：ガード板
ｃ：ガイド
ｄ：刃
ｅ：伸長アーム
ｆ：伸長アーム
ｇ：カッターホルダー
ｈ：凹凸
ｉ：ガイド溝
ｍ：目盛
ｓ：薄板バネ
ｖ：凹部
１：箱の角部
２：箱の側面
３：箱の側面の縁
１０：段ボールカッター
【要約】
【課題】箱の面を直線で切断する際、定規やペンで印をつけずに切断することと；面と面が直行する箱の角部を切断する際、角に沿った形状に変形し切断し易くる機構を備え、且つ安全に切断することと；を同時に可能とする。
【解決手段】二枚のガード板からなり且つ０度から１８０度に展開可能な蝶番型のガード板を備え、ガード板の間にカッター刃を備え、片方のガード板には伸縮可能な入れ子式のアームを有し、アームの先端に設けられたガイドを切断面の縁に沿わせて本体を操作することで、面を定規やペンなどの他の道具を使わずに切断する。また二枚のガード板のなす角を箱の面と面がなす角部に合わせて本体を操作することで、箱の角部を容易且つ安全に切断する。
【選択図】図１【図１】
0006006450.tif 000002
【図２】
0006006450.tif 000003
【図３】
0006006450.tif 000004
【図４】
0006006450.tif 000005
【図５】
0006006450.tif 000006
【図６】
0006006450.tif 000007
【図７】
0006006450.tif 000008